(57)【要約】【課題】      医療従事者側の事情と患者側の事情の両者を考慮し救急車で搬送されるような場合であっても適切な処置がより行われ得る医療システムを提供する。【解決手段】  医療システム１は、医療従事者により特定された患者の病気に関する情報が記録されたＩＣカード９と、そのメモリ１９に記録された患者の病気に関する情報を読み取りできるカードリーダー２３と、管理サーバー７と、患者自身が自己の病気に関する情報を公開情報と非公開情報とに区別して特定できるとともに管理サーバー７に書き込んで保存させるために情報通信ネットワーク３を介して接続した入力用情報処理端末５とを備え、ＩＣカードには、上記公開情報を表示させるためのＱＲコード（登録商標）が記され、ＱＲコード１７を読み取って公開情報を表示する公開情報表示用情報処理端末１１をさらに備える。【選択図】  図１
2011146039.tif 000002
【特許請求の範囲】
【請求項１】
患者の病気に関する情報を管理する医療システムであって、
医療従事者が記録すべきものとして特定した患者の病気に関する情報が記録された記録媒体と、
前記記録媒体に記録された患者の病気に関する情報を光学的、電気的又は磁気的に読み取りできるリーダーと、
管理サーバーと、
患者自身が自己の病気に関する情報を公開情報と非公開情報とに区別して特定できるとともに前記管理サーバーに書き込んで保存させるために情報通信ネットワークを介して接続した入力用情報処理端末とを備え、
前記記録媒体には、前記患者自身によって特定された病気に関する情報のうち公開情報を医療従事者だけでなく前記患者自身以外の第三者にも示すための識別コードが記され、又は、前記記録媒体に記された識別コードに代わる識別コードが患者の保有する携帯情報端末で作成されて保存され、
前記識別コードを読み取って前記管理サーバーに情報通信ネットワークを介してアクセスして前記患者自身によって特定された病気に関する情報のうち公開情報を表示する公開情報表示用情報処理端末をさらに備えた、医療システム。
【請求項２】
前記患者自身が前記入力用情報処理端末を用いて自己の病気に関する情報を入力する際に、前記公開情報表示用情報処理端末が前記患者自身によって特定された病気に関する情報のうち公開情報を表示することに応答して表示された旨を知らせるための電子メールアドレスを入力でき、
前記管理サーバーは、前記公開情報表示用情報処理端末からのアクセスによって公開情報が表示されたことに応答して、前記電子メールアドレスへ前記表示された旨を知らせる電子メールを送信し、
情報通信ネットワークに接続し、前記表示された旨を知らせる電子メールを受信できる前記電子メールアドレスに対応した電子メール受信用情報処理端末を備えた、請求項１記載の医療システム。
【請求項３】
前記記録媒体は、メモリを有し、さらに前記識別コードとしてのＱＲコード（登録商標）が記されたＩＣカードである、請求項１又は２記載の医療システム。
【発明の詳細な説明】
【技術分野】
【０００１】
本発明は、医療システムに関し、特に情報通信ネットワークを用いた医療システムに関する。
【背景技術】
【０００２】
近年、電子カルテなど患者の病気に関する情報の電子化が進んできている。この電子カルテは医療従事者間ではさらに有用な情報となっていくことが予想される。具体的には、例えば、情報通信ネットワークを利用して、電子カルテを有用な情報としてさらに有効活用していくことも予想される。ここで、上記電子カルテなどの情報は、医師といった医療従事者が専門の知見に基づきその記載内容が特定される。
【０００３】
一方、患者自身が、自己の病気に関する情報、具体的には持病、病歴、通院している病院名、常用している薬などの情報を積極的に管理していこうという動きは大きくなく、管理されているとしても個人情報として患者自身で自身のパソコンのみで管理するなどしている。
【０００４】
なお、本願発明にとっての一般的な技術水準を示す参考文献として、特許文献１及び２を挙げる。特許文献１では、ＩＣカードのメモリに情報を記憶させつつＩＣカードの表面に上記記憶された情報と同一の情報を表示したＱＲコード（登録商標）を印刷しているものが開示されている。特許文献２では、病院や介護施設等において用いられる排尿記録装置について、情報入力手段として磁気カード又はＩＣカードが用いられ、計量容器には患者を識別するためにバーコードラベルやＱＲコードラベルなどのラベルが貼られるものが開示されている。
【先行技術文献】
【特許文献】
【０００５】
【特許文献１】特開２００５−１００３５７号公報
【特許文献２】特開２００７−９７７９４号公報
【発明の概要】
【発明が解決しようとする課題】
【０００６】
しかしながら、従来の技術では以下の問題がある。
【０００７】
まず、上記電子カルテが情報通信ネットワークで繋がったとしても、医療従事者が立場上守秘義務を考慮しまた個人情報の取り扱いに慎重になる姿勢をとる限りにおいては、簡単には情報の共有化を進めることはできないことが予想される。その場合、外出先で倒れるなどといった状況が発生し、救急車で病院に搬送されるようなことが起こった場合には、現状と同様の問題がある。すなわち、迅速で適切な処置が要求されるような状況ではあるが、搬送先の医療従事者が患者の持病、病歴、通院している病院名、常用している薬などの情報を知った上で処置することは難しい面がある。
【０００８】
また、患者自身が把握している情報が上記搬送先の病院に伝えられるとよいとも思われる。しかし、倒れて搬送される患者から上記病気に関する情報を聞き出すこと自体が困難なばかりか、患者にとっては例えばペンダントなどの身に着けているものに記録した管理している自身の病気に関する情報の存在自体を伝えることも難しい面がある。加えて、個人情報という観点からすれば、セキュリティを考慮せずに、全ての自身の病気に関する情報をペンダントなどにオープンにして日頃から身につけていることを前提にするのは、大多数の人にとっては違和感があり現実的ではない。
【０００９】
なお、特許文献１の技術では情報の信頼性を確保するために同一性がある情報が用いられており、仮に、上記問題の解決に適用されることを想定したとしても、医療従事者側のニーズと患者側のニーズとのいずれか一方のみを表す情報にすぎず、両者のニーズを満たすものとはならない。特許文献２の技術では医療従事者側のニーズのみを表す情報にすぎず、これも、両者のニーズを満たすものとはならない。
【００１０】
ゆえに、本発明は、医療従事者側の事情と患者側の事情の両者を考慮しつつ、救急車で搬送されるような場合であっても、適切な処置がより行われることが可能になる医療システムを提供することを目的とする。
【課題を解決するための手段】
【００１１】
請求項１に係る発明は、患者の病気に関する情報を管理する医療システムであって、医療従事者が記録すべきものとして特定した患者の病気に関する情報が記録された記録媒体と、前記記録媒体に記録された患者の病気に関する情報を光学的、電気的又は磁気的に読み取りできるリーダーと、管理サーバーと、患者自身が自己の病気に関する情報を公開情報と非公開情報とに区別して特定できるとともに前記管理サーバーに書き込んで保存させるために情報通信ネットワークを介して接続した入力用情報処理端末とを備え、前記記録媒体には、前記患者自身によって特定された病気に関する情報のうち公開情報を医療従事者だけでなく前記患者自身以外の第三者にも示すための識別コードが記され、又は、前記記録媒体に記された識別コードに代わる識別コードが患者の保有する携帯情報端末で作成されて保存され、前記識別コードを読み取って前記管理サーバーに情報通信ネットワークを介してアクセスして前記患者自身によって特定された病気に関する情報のうち公開情報を表示する公開情報表示用情報処理端末をさらに備えたものである。
【００１２】
請求項２に係る発明は、請求項１において、前記患者自身が前記入力用情報処理端末を用いて自己の病気に関する情報を入力する際に、前記公開情報表示用情報処理端末が前記患者自身によって特定された病気に関する情報のうち公開情報を表示することに応答して表示された旨を知らせるための電子メールアドレスを入力でき、前記管理サーバーが、前記公開情報表示用情報処理端末からのアクセスによって公開情報が表示されたことに応答して、前記電子メールアドレスへ前記表示された旨を知らせる電子メールを送信し、情報通信ネットワークに接続し、前記表示された旨を知らせる電子メールを受信できる前記電子メールアドレスに対応した電子メール受信用情報処理端末を備えたものである。
【００１３】
請求項３に係る発明は、請求項１又は２において、前記記録媒体が、メモリを有し、さらに前記識別コードとしてのＱＲコード（登録商標）が記されたＩＣカードであるものである。
【発明の効果】
【００１４】
本願の請求項１に係る発明によれば、まず、医療従事者が記録すべきものとして特定した患者の病気に関する情報（例えば電子カルテ）は例えばＩＣカードのメモリに記録されてリーダーで読み出す必要がある。そのため、患者がＩＣカードに記録することの意思表示をすれば守秘義務の点に関しての問題を解決できる可能性がある上に、セキュリティを強化することにより個人情報の保護の点に関しての問題も解決できる可能性がある。次に、患者自身が入力する患者の病気に関する情報のうち非公開情報に特定されたものは個人情報として保護される。一方、公開情報に特定されたものは識別コード（例えばＱＲコード）が読み取られて医療従事者、本人以外の第三者にも確認され得るので、ＩＣカードへの記録の有無にかかわらず、救急車で搬送されるような場合であっても、患者への適切な処置のために使用されることが可能になる。よって、医療従事者と患者との双方の事情を考慮した医療システム化が図られる。
【００１５】
また、本願の請求項２に係る発明によれば、例えば外出先で倒れた場面に遭遇した人、救命救急士、看護師、医師が例えば携帯電話機のような公開情報表示用情報処理端末からのアクセスによって表示される公開情報を見た場合に、家族、親戚、その他介護・福祉施設その他の知らせたい人に向けてその電子メールアドレスへ表示された旨を知らせる電子メールが送られる。そのため、電子メールを受信して知らせを受けた人は、外出先で倒れたといった状況などが起こったことを想定できる。その結果、知らせを受けた人が搬送された病院に行くことの迅速化も可能になり、家族などによる適切なサポートもより行い易くなる。
【００１６】
請求項３に係る発明によれば、セキュリティとデータ容量の点から優れているＩＣカードのメモリと、携帯電話機での読み取りが頻繁に行われて簡易な公開という点から優れているＱＲコードとが用いられて、請求項１又は２の医療システムを具体的に実現できる。
【図面の簡単な説明】
【００１７】
【図１】本発明の実施の形態にかかる医療システムの概略ブロック図である。
【発明を実施するための形態】
【００１８】
図１を参照して、この医療システム１は、情報通信ネットワーク３を利用したシステムである。情報通信ネットワーク３には、入力用情報処理端末５と、管理サーバー７と、公開情報表示用情報処理端末１１と、救急車１３の図示を省略した情報処理端末と、搬送先の病院１５の図示を省略した情報処理端末と、電子メール受信用情報処理端末２１とが接続している。
【００１９】
入力用情報処理端末５としては、ユーザの自宅にあるパソコンが一例として挙げられる。公開情報表示用情報処理端末１１としては、ユーザが保有するＱＲコードを読み取り可能な携帯電話機のほか、ユーザが外出先で倒れたときに遭遇した人、救急車１３の救急救命士、搬送先の病院１５の看護師、医師などが保有するＱＲコードを読み取り可能な携帯電話機が一例として挙げられる。
【００２０】
ここで、ユーザは、入力用情報処理端末５を用いて、自身で、病気に関する情報、例えば病歴、過去に通院、入院した病院、薬、持病などの情報を管理サーバー７に入力して自己管理できる。特に、情報通信ネットワーク３を利用した管理により、ユーザは海外などの旅先といった外出先に長期滞在する場合であっても、携帯電話機やパソコンなどを入力用情報処理端末５として用いて入力を行うことができる。ユーザは、病気に関する情報を、後述するＱＲコードによるアクセスにより公開してもよい公開情報と、自身のみが見ることができるように制限した非公開情報とに区別して特定できるものとしている。さらに、ユーザは、外出中に倒れたなどのトラブル時にそれを知らせる家族、親戚、友人などを指定して、その人に電子メールを送るためのメールアドレスも入力して、管理サーバー７からの電子メール送信を可能としている。電子メール送信は公開情報へのアクセスが行われたことにより行われるが、その旨を伝えることによりトラブルが起こった可能性があることを伝える内容となる。
【００２１】
また、この医療システム１ではＩＣカード９も用いられる。ＩＣカード９はメモリ１９を有し、このメモリ１９には医療従事者である医師によって記載されるなどして内容が特定された患者の病気に関する情報（一例としては電子カルテが挙げられる。）が過去に通院、入院した病院の書き込み端末により記録されている。このようにメモリ１９に患者の病気に関する情報が記録されるか否かは、まずＩＣカード９を発行する段階に発行者（例えば病院）からユーザに対して確認される。さらに、ユーザである患者が通院、入院した病院にＩＣカード９を提出することにより患者の記録することに対しての意思の確認が行われることになる。これにより、患者の個人情報保護が考慮された上でのＩＣカード９への情報の記録が行われる。さらに、ＩＣカード９には、識別コードとしてのＱＲコード１７が記されている。このＱＲコード１７は、上述したように公開情報表示用情報処置端末１１により読み取られることが可能であり、読み取られたことにより管理サーバー７へのアクセスが行われる。そして、公開情報が公開情報表示用情報処理端末１１により表示されて、ユーザが外出先で倒れたときに遭遇した人、救急車１３の救急救命士、搬送先の病院１５の看護師、医師などが、公開情報を見ることができる。
【００２２】
このような公開情報表示用情報処理端末１１と管理サーバー７との間の通信が行われることに応じて、管理サーバー７から電子メール受信用情報処理端末２１のメールアドレスに向けて電子メールが送られる。送られた電子メールは電子メール受信用情報処理端末２１により受信され、これを保有する人、具体的にはユーザである患者が事前に電子メールアドレスとともに指定した人である家族や親戚、友人などが、電子メールの受信によりＱＲコードへのアクセスが行われた旨を把握できる。これにより、その家族などは、ユーザに倒れたなどのなんらかのトラブルが起こったことを想定できる。そして、その家族などは、搬送先の病院に駆けつけるなどして患者に対して可能な限り迅速で適切なサポートを行うための行動をおこすことができる。
【００２３】
一方、病院１５に向けて搬送される救急車１３にＩＣカードのメモリ１９のデータを読み取ることができるカードリーダー２３が搭載されていれば、ＱＲコード１７を用いた公開情報を見たか否かにかかわらず、救命救急士などは、医師が記載した電子カルテなどの患者の病気に関する情報の内容を見て確認できる。この情報はカードリーダー２３と接続する情報処理端末から情報通信ネットワークを介して管理サーバー７に送られ、さらに病院１５の情報処理端末に送られる。そして、搬送先では事前に患者の病気に関する情報の確認が可能となる。その結果、緊急性を要するような状況下であっても、患者に対する適切な処置が迅速に行われる可能性が高くなり、アレルギーなどのリスクを回避しながら人命救助の可能性が高くなるシステムが実現される。
【００２４】
なお、管理サーバー７のセキュリティを高くするために、入力用情報処理端末５、公開情報表示用情報処理端末１１、救急車１３の情報処理端末、病院の情報処理端末、電子メール受信用情報処理端末から管理サーバー７へのアクセスの際に、管理サーバー７のＵＲＬといった情報が見えない状態にすることが好ましい。
【００２５】
また、上記では記録媒体としてＩＣカードを示したが、他の電気式に読み取り可能な記録媒体のほか、光学式又は磁気式な読み取り可能な記録媒体であってもよい。加えて、読み取り方法には、接触型と非接触型かのタイプは問わない。
【００２６】
さらに、上記ではＱＲコードを用いたが、技術的に可能な限り、バーコードその他の識別コードであってもよい。
【００２７】
さらに、カードリーダー２３は救急車１３に搭載させたが、病院１５にあってもよい。この場合には救急車１３の情報処理端末と病院１５の情報処理端末とが管理サーバー７と情報通信ネットワーク３と介して接続しておく必要はない。
【００２８】
さらに、入力用情報処理端末５から管理サーバー７に入力されるユーザの病気に関する情報を医師といった専門家にチェックしてもらうサービスが実施されてもよい。
【００２９】
さらに、患者の病気に関する情報という病歴、過去に通院、入院した病院、薬、持病などの情報に加えて、日常的にユーザが自己管理を行う血圧、血糖値、脈拍などを入力用情報処理端末５から管理サーバー７に入力してもよい。このような情報は、メモ記録のような数値データとして管理されてもよく、自分をモデル化したキャラクタを血圧などのデータに合わせて変化させるようにしてもよい。さらに、履歴を管理できるようにするほか、１ヵ月後、半年後、１年後、３年後、５年後、１０年後の姿を予測してユーザに示すようにしてもよい。これにより、ユーザは、出張、海外赴任、休暇中の帰省などで自宅を離れても、継続して自己を管理でき、より健康になるような生活を送るモチベーションを持つことができる。なお、この自己管理のためには、既存のゲーム性がある端末から入力用情報処理端末５にデータが入力されるようにしてもよく、その入力に赤外線通信が用いられてもよい。
【００３０】
さらに、ユーザの携帯電話機などに、ＱＲコード付きのＩＣカードを保有していることを示すマークを表示するようにしてもよい。具体的には、待ち受け画面にマークを表示することが一例として挙げられる。
【００３１】
さらに、上記では日本人が日本語で入力し、日本人が公開情報を見ることを想定したが、例えば、海外で公開情報が見られることも想定してもよい。その場合には、管理サーバー７において現地言語に変換されるように表示されればよく、好ましくは現地言語表示に加えて英語表示も行われるとよい。
【００３２】
さらに、入力用情報処理端末５から管理サーバー７に指定するアドレスを入力したことに応答して、入力用情報処理端末５から電子メール受信用情報処理端末２１にこの医療システムが使用されて指定したことを示す内容の転送不可の電子メールが送られてもよい。このようにしておけば、知らせを受ける側も、事前に心の準備などの準備ができる結果、システムとしての信頼性が向上する。
【００３３】
さらに、管理サーバー７は、単一のサーバーである必要はなく、分散処理を行うクラウドコンピューティングにより複数のコンピュータ（サーバー）を用いて実現されてもよい。
【００３４】
さらに、ユーザが使用するスマートフォン或いはタブレットタイプの携帯情報端末を用いてＱＲコードを作成し保存することにより、ＩＣカード９に記されているＱＲコードに代えて使えるようにしてもよい。ここで、ＱＲコードは、ＩＣカード９のものと上記携帯情報端末とのものを同一で併存させてもよく、又は、一方のみい限定するようにしてもよい。
【符号の説明】
【００３５】
１    医療システム
３    情報通信ネットワーク
５    入力用情報処理端末
７    管理サーバー
９    ＩＣカード
１１  公開情報表示用情報処理端末
１７  ＱＲコード
１９  メモリ
２１  電子メール受信用情報処理端末
２３  カードリーダー
【図１】
2011146039.tif 000003